(57)【要約】本発明は、少なくとも部分的にユーザのＩＰＤに基づいてユーザに視覚表現を発生させる、拡張現実システムと、ＩＰＤ補償係数に基づいて視覚表現を調節する、ＩＰＤ補償器とを含む、視認システムを提供する。視認システムは、ユーザの瞳孔間距離（ＩＰＤ）を検出し、ＩＰＤデータを発生させるように位置付け可能である、ＩＰＤ検出器と、ユーザの頭部の移動に基づいて頭部移動データを発生させる、頭部移動検出器デバイスと、ＩＰＤ検出器および頭部移動検出器デバイスに接続され、ＩＰＤデータと頭部移動データとの間の相関を発生させる、相関器と、相関器に接続され、相関を記憶する、記憶システムとを備える。
2021533465.tif 000002
【特許請求の範囲】
【請求項１】
視認システムであって、
ユーザの瞳孔間距離（ＩＰＤ）を検出し、ＩＰＤデータを発生させるように位置付け可能である、ＩＰＤ検出器と、
前記ユーザの頭部の移動に基づいて頭部移動データを発生させる、頭部移動検出器デバイスと、
前記ＩＰＤ検出器および頭部移動検出デバイスに接続され、前記ＩＰＤデータと前記頭部移動データとの間の相関を発生させる、相関器と、
前記相関器に接続され、前記相関を記憶する、記憶システムと
を備える、視認システム。
【請求項２】
前記ユーザの頭部に固着可能な装置フレームをさらに備え、前記ＩＰＤ検出器および頭部移動デバイスは、前記装置フレームに固着されている、請求項１に記載の視認デバイス。
【請求項３】
前記ＩＰＤ検出器は、前記ユーザの眼に向かって配向される捕捉野を伴う、カメラである、請求項２に記載の視認デバイス。
【請求項４】
前記頭部移動検出器は、１つ以上の加速度計、ジャイロスコープ、慣性測定ユニット（ＩＭＵ）、またはカメラを含む、請求項２に記載の視認デバイス。
【請求項５】
前記頭部移動検出器は、前記ユーザの頭部の回転および位置のうちの少なくとも１つを判定する、請求項２に記載の視認デバイス。
【請求項６】
前記ユーザが咬合し、前記装置フレームを前記ユーザの頭部に固定して取り付けるための口咬インターフェースをさらに備える、請求項２に記載の視認デバイス。
【請求項７】
前記ユーザは、前記ＩＰＤデータが収集される間、その頭部を加速させることができる、請求項６に記載の視認デバイス。
【請求項８】
前記相関に基づいてＩＰＤ補償係数を計算する、ＩＰＤ補償係数計算機をさらに備える、請求項１に記載の視認デバイス。
【請求項９】
少なくとも部分的に前記ユーザのＩＰＤに基づいてユーザに視覚表現を発生させる、拡張現実システムと、
ＩＰＴ補償係数に基づいて前記視覚表現を調節する、ＩＰＤ補償器と
をさらに備える、請求項１に記載の視認デバイス。
【請求項１０】
視認システムであって、
少なくとも部分的にユーザのＩＰＤに基づいて前記ユーザに視覚表現を発生させる、拡張現実システムと、
ＩＰＤ補償係数に基づいて前記視覚表現を調節する、ＩＰＤ補償器と
を備える、視認システム。
【請求項１１】
前記ユーザの頭部のピッチ角を検出する、ピッチ角検出器をさらに備え、前記ＩＰＤ補償係数は、前記ピッチ角検出器による前記ピッチ角に依存する、請求項１０に記載の視認システム。
【請求項１２】
１つ以上のＩＰＤ補償係数を判定するように、一連の視認演習を通して前記ユーザを誘導する、視認較正システムをさらに備える、請求項１０に記載の視認システム。
【請求項１３】
ユーザのＩＰＤを検出し、ＩＰＤデータを発生させように位置付け可能である、ＩＰＤ検出器と、
前記ユーザの頭部の移動に基づいて頭部移動データを発生させる、頭部移動検出器デバイスと、
前記ＩＰＤ検出器および頭部移動検出デバイスに接続され、前記ＩＰＤデータと前記頭部移動データとの間の相関を発生させる、相関器と、
前記相関器に接続され、前記相関を記憶する、記憶システムと
をさらに備える、請求項１２に記載の視認システム。
【請求項１４】
前記ユーザの頭部に固着可能な装置フレームをさらに備え、前記ＩＰＤ検出器および頭部移動デバイスは、前記装置フレームに固着されている、請求項１３に記載の視認システム。
【請求項１５】
前記ＩＰＤ検出器は、前記ユーザの眼に向かって配向される捕捉野を伴う、カメラである、請求項１４に記載の視認システム。
【請求項１６】
前記頭部移動検出器は、１つ以上の加速度計、ジャイロスコープ、慣性測定ユニット（ＩＭＵ）、またはカメラを含む、請求項１４に記載の視認システム。
【請求項１７】
前記頭部移動検出器は、前記ユーザの頭部の少なくとも１つの回転および位置を判定する、請求項１４に記載の視認システム。
【請求項１８】
前記ユーザが咬合し、前記装置フレームを前記ユーザの頭部に固定して取り付けるための口咬インターフェースをさらに備える、請求項１４に記載の視認システム。
【請求項１９】
前記ユーザは、前記ＩＰＤデータが収集される間、その頭部を加速させることができる、請求項１８に記載の視認システム。
【発明の詳細な説明】
【技術分野】
【０００１】
（関連出願への相互参照）
本願は、その全てが参照することによってその全体として本明細書に組み込まれる、２０１８年８月２日に出願された、米国仮特許出願第６２／７１４，０５６号の優先権を主張する。
【０００２】
（発明の分野）
本発明は、接続されたモバイルコンピューティングシステム、方法、および構成に関し、より具体的には、仮想および／または拡張現実動作のために利用され得る少なくとも１つのウェアラブルコンポーネントを特徴とする、モバイルコンピューティングシステム、方法、および構成に関する。
【背景技術】
【０００３】
（背景）
複合現実または拡張現実接眼ディスプレイが、軽量、低コストであり、小形状因子を有し、広仮想画像視野を有し、可能な限り透過性であることが望ましい。加えて、両眼離反運動と遠近調節との不整合に関する容認可能な許容差を超過することなく、多種多様な使用事例のために実践的であるために、複数（例えば、２つ以上）の焦点面内に仮想画像情報を提示する構成を有することが、望ましい。
【発明の概要】
【課題を解決するための手段】
【０００４】
（発明の要約）
本発明は、視認システムであって、ユーザの瞳孔間距離（ＩＰＤ）を検出し、ＩＰＤデータを発生させるように位置付け可能である、ＩＰＤ検出器と、ユーザの頭部の移動に基づいて頭部移動データを発生させる、頭部移動検出器デバイスと、ＩＰＤ検出器および頭部移動検出デバイスに接続され、ＩＰＤデータと頭部移動データとの間の相関を発生させる、相関器と、相関器に接続され、相関を記憶する、記憶システムとを含む、視認システムを提供する。
【０００５】
視認デバイスはさらに、ユーザの頭部に固着可能な装置フレームを含み得、ＩＰＤ検出器および頭部移動デバイスは、装置フレームに固着される。
【０００６】
視認デバイスはさらに、ＩＰＤ検出器が、ユーザの眼に向かって配向される捕捉野を伴う、カメラであることを含み得る。
【０００７】
視認デバイスはさらに、頭部移動検出器が、１つ以上の加速度計、ジャイロスコープ、慣性測定ユニット（ＩＭＵ）、またはカメラを含むことを含み得る。
【０００８】
視認デバイスはさらに、頭部移動検出器が、ユーザの頭部の少なくとも１つの回転および位置を判定することを含み得る。
【０００９】
視認デバイスはさらに、ユーザが咬合し、装置フレームをユーザの頭部に固定して取り付けるための口咬インターフェースを含み得る。
【００１０】
視認デバイスはさらに、ユーザが、ＩＰＤデータが収集される間、その頭部を加速させ得ることを含み得る。
【００１１】
視認デバイスはさらに、相関に基づいてＩＰＤ補償係数を計算する、ＩＰＤ補償係数計算機を含み得る。
【００１２】
視認デバイスはさらに、少なくとも部分的にユーザのＩＰＤに基づいてユーザに視覚表現を発生させる、拡張現実システムと、ＩＰＴ補償係数に基づいて視覚表現を調節する、ＩＰＤ補償器とを含み得る。
【００１３】
本発明はまた、視認システムであって、少なくとも部分的にユーザのＩＰＤに基づいてユーザに視覚表現を発生させる、拡張現実システムと、ＩＰＤ補償係数に基づいて視覚表現を調節する、ＩＰＤ補償器とを含む、視認システムを提供する。
【００１４】
視認システムはさらに、ユーザの頭部のピッチ角を検出する、ピッチ角検出器を含み得、ＩＰＤ補償係数は、ピッチ角検出器によるピッチ角に依存する。
【００１５】
視認システムはさらに、１つ以上のＩＰＤ補償係数を判定するように、一連の視認演習を通してユーザを誘導する、視認較正システムを含み得る。
【００１６】
視認システムはさらに、ユーザのＩＰＤを検出し、ＩＰＤデータを発生させように位置付け可能である、ＩＰＤ検出器と、ユーザの頭部の移動に基づいて頭部移動データを発生させる、頭部移動検出器デバイスと、ＩＰＤ検出器および頭部移動検出デバイスに接続され、ＩＰＤデータと頭部移動データとの間の相関を発生させる、相関器と、相関器に接続され、相関を記憶する、記憶システムとを含み得る。
【００１７】
視認システムはさらに、ユーザの頭部に固着可能な装置フレームを含み得、ＩＰＤ検出器および頭部移動デバイスは、装置フレームに固着される。
【００１８】
視認システムはさらに、ＩＰＤ検出器が、ユーザの眼に向かって配向される捕捉野を伴う、カメラであることを含み得る。
【００１９】
視認システムはさらに、頭部移動検出器が、１つ以上の加速度計、ジャイロスコープ、慣性測定ユニット（ＩＭＵ）、またはカメラを含むことを含み得る。
【００２０】
視認システムはさらに、頭部移動検出器が、ユーザの頭部の少なくとも１つの回転および位置を判定することを含み得る。
【００２１】
視認システムはさらに、ユーザが咬合し、装置フレームをユーザの頭部に固定して取り付けるための口咬インターフェースを含み得る。
【００２２】
視認システムはさらに、ユーザが、ＩＰＤデータが収集される間、その頭部を加速させ得ることを含み得る。
【００２３】
本発明はさらに、付随の図面を参照して実施例として説明される。
【図面の簡単な説明】
【００２４】
【図１】図１は、拡張現実視認システムを図示する、概略図である。
【００２５】
【図２】図２は、ユーザによる種々の頭部移動およびユーザの瞳孔間距離（ＩＰＤ）の変化を図示する、ユーザの概略図である。
【００２６】
【図３】図３は、その頭部を上向きの方向に傾斜させているユーザを伴う、図２に類似する図である。
【００２７】
【図４Ａ】図４Ａおよび４Ｂは、頭部の運動に基づいてＩＰＤ補償を検出するために使用される実験装置を伴う、ユーザを図示する斜視図である。
【図４Ｂ】図４Ａおよび４Ｂは、頭部の運動に基づいてＩＰＤ補償を検出するために使用される実験装置を伴う、ユーザを図示する斜視図である。
【００２８】
【図５】図５は、頭部ピッチに対するＩＰＤ補償係数を図示する、グラフである。
【００２９】
【図６Ａ】図６Ａは、ＩＰＤ頭部回転補償を図示する、フローチャートである。
【００３０】
【図６Ｂ】図６Ｂは、ＩＰＤ頭部回転補償を図示する、フローチャートである。
【００３１】
【図６Ｃ】図６Ｃは、ＩＰＤ頭部回転補償を図示する、フローチャートである。
【００３２】
【図７】図７は、拡張現実システムの部分的上面図および部分的ブロック図である。
【００３３】
【図８】図８は、その特徴を補償するＩＰＤを図示する、拡張現実システムの上面図である。
【発明を実施するための形態】
【００３４】
（詳細な説明）
図１を参照すると、頭部装着型の視認コンポーネント（２）、ハンドヘルド式のコントローラコンポーネント（４）、およびユーザ上にベルトパックまたは同等物として装着されるように構成され得る、相互接続された補助コンピューティングまたはコントローラコンポーネント（６）を特徴とする、拡張現実システムが、図示されている。これらのコンポーネントはそれぞれ、ＩＥＥＥ８０２．１１、Ｂｌｕｅｔｏｏｔｈ（登録商標）（ＲＴＭ）、および他の接続規格および構成によって規定されるもの等、有線または無線通信構成を介して、相互に、かつクラウドコンピューティングまたはクラウドストレージリソース等の他の接続されるリソース（８）に動作可能に結合され得る（１０、１２、１４、１６、１７、１８）。例えば、米国特許出願第１４／５５５，５８５号、第１４／６９０，４０１号、第１４／３３１，２１８号、第１５／４８１，２５５号、および第６２／５１８，５３９号（そのそれぞれは、参照することによってその全体として本明細書に組み込まれる）において説明されるように、拡張現実体験のために関連付けられるシステムコンポーネントによって生成され得る視覚コンポーネントに加えて、それを通してユーザに彼らの周囲の世界が見え得る、２つの描写される光学要素（２０）の種々の実施形態等、そのようなコンポーネントの種々の側面が、説明される。参考特許出願によって組み込まれる前述のものにおいて説明される多くのもの等の種々の実施形態では、コンポーネントのうちの１つ以上が、相互結合されるユーザの身体部分の位置および／または配向（装備された頭部装着型視認コンポーネント（２）に結合されたときのユーザの頭部の位置または配向等）を判定または推定するために使用され、かつ線形に、および／または角度のある状態で、その速度および／または加速度を判定することを補助し得る、加速度計、ジャイロスコープ、電位差計、統合型慣性測定ユニット（「ＩＭＵ」）、およびカメラ等のデバイスまたはサブコンポーネントを特徴とし得る。参考特許出願によって組み込まれる前述のものにおいて説明される多くのもの等の種々の実施形態では、本システムが、拡張または仮想現実体験に関する視覚情報をそのようなユーザに提示することにおいて個々のユーザの瞳孔間距離（「ＩＰＤ」）を少なくとも１つの入力として利用することは、価値があり得る。種々の実施形態では、関連のあるシステムの使用の前にユーザのＩＰＤを単に測定し、本情報をユーザ入力として本システムに提供することが、便宜的であり得、他の実施形態では、本システムが、種々のアプリケーションまたは提示される情報の実行時間の前および／または間にユーザのＩＰＤ情報を自動的に判定するために、カメラ等の内向きに（すなわち、ユーザの眼に向かって）指向されるデバイスを利用するように構成されることも、便宜的であり得る。下記にさらに詳細に議論されるように、拡張現実システムおよび関連付けられる試験装置の種々の実施形態を利用する間、種々のユーザが、そのようなユーザがその頭部をその身体の残部およびその周囲の環境に対して種々の方法で回転または再配向するように提示される拡張現実情報の位置付けの補償または調節から恩恵を受け得ることを判定している。例えば、一実施形態では、提示される拡張現実情報のｚ軸位置（すなわち、ユーザの顔の平面から外に一直線）をユーザの頭部のピッチ位置に伴ってわずかに変動させる、補償係数を有することが、価値があり得る。これは、これらのユーザの少なくとも一部が、その頭部のピッチを変化させる、その頭部を側方にヨー運動させる、またはさらにその頭部をロール運動させる（すなわち、その鼻から垂直に延在するｚ軸等を中心として）につれて、ＩＰＤの実際的または機能的変化を被る彼らに関連し得る。一実施形態では、頭部の配向と相関され得る、関連のある計算に入力されるＩＰＤ情報の変形例（ＩＰＤ調節係数または補償を頭部の配向と相関させる方程式またはルックアップテーブル等の形態にある）が、そのような構成でユーザに提示される拡張現実情報を発生させるための補償変数として利用され得る。
【００３５】
図２を参照すると、取り付けられた頭部（３２）を伴うユーザの身体（３０）の表現が、示され、ユーザは、例えば、Ｘ、Ｙ、Ｚ直交座標（それぞれ、４０、４２、４４）を特徴とするそのような部屋のための全体座標系とともに関連付けられ得る、固定された壁（２２、２４）と、床（２８）と、天井（２６）とを備える、部屋内に位置付けられる。別の座標系が、図２に示されるように、Ｚ軸（３８）が、顔から外に向かって略一直線であり、Ｘ（３４）およびＹ（３６）軸が、Ｚ軸（３８）に対して直交するように、ユーザの頭部（３２）と関連付けられ得る。ユーザの頭部（３２）は、Ｚ軸（３８）が部屋の全体座標系（４４）のＺ軸と略平行であり、ユーザの眼からの視線ベクトル（５２、５４）が、水平な視線（５２、５４）を、本実施例に関して上記に記載されるように、床と略同じ高さである、または部屋の座標系のＺ軸（４４）と略平行である、ユーザの頭部のＺ軸（３８）に略平行にさせる位置において、仮想的または実際的であり得る、左の壁（２２）の位置における標的（４６）上に集束されるように配向される。そのような位置から、ユーザは、その頭部を床に向かって下に、または天井に向かって上にピッチ運動し得る。本描写される位置は、例えば、典型的な人によって可能であるような、最大−９０度の床に向かった下への、かつ約＋９０度の天井に向かった上へのピッチを伴う、ゼロ回転位置と見なされ得る。ゼロ回転位置において、ＩＰＤ（５０）は、拡張現実システムウェアラブルコンポーネント（２）の側面を使用して、手動で、および／または自動的に、測定され得る。
【００３６】
図３を参照すると、同一のユーザ（３０、３２）が、ユーザの頭部が床の平面（２８、または部屋の座標系４４のＺ軸）に対して約＋５０度のピッチまで上に回転された状態（５６）で、かつ拡張現実システムウェアラブルコンポーネント（２）ユーザの視線（５２、５４）が、第２の標的（４８）に向かって指向された状態で図示されている。そのような回転された構成において、ＩＰＤは、拡張現実システムウェアラブルコンポーネント（２）の側面を使用して手動で、および／または自動的に、測定され得る。種々の対象ユーザ上でそのような構成を使用する実験室実験では、頭部のピッチ角が変動されるにつれてのＩＰＤ（５０）の変動を見出している。
【００３７】
図４Ａおよび４Ｂに描写されるもの等の実験装置を使用して、線形および／または回転位置（すなわち、部屋または周囲環境に対する）、線形および／または回転速度（すなわち、部屋または周囲環境に対する）、および線形および／または回転加速度（すなわち、部屋または周囲環境に対する）に関して、種々のユーザの頭部の再位置付けからデータが採集された。描写される装置は、ユーザのＩＰＤが、相互結合された（６４）コンピューティングシステムによって捕捉されるビデオ情報から測定され得るようにユーザの眼（７０）に向かって配向される捕捉野を伴う、高分解能カメラ（６２）を備え、また、装置フレーム（６８）に動作可能に結合され、周囲から捕捉される画像に基づいて回転／位置を判定する（すなわち、コンピュータビジョン技法に基づいた「頭部姿勢」の判定等）ために利用されるように構成され得る、１つ以上の加速度計、ジャイロスコープ、ＩＭＵ、またはカメラ等の１つ以上の角または線形運動測定デバイスを備え得る。カメラデバイス（６２）が固定して結合される装置フレーム（６８）は、ユーザの眼およびＩＰＤに関するデータが入手される間にユーザがその頭部を比較的に容易に回すように移動させ、加速させ得るようにユーザが咬合する、口咬インターフェース（６６）を使用して、ユーザの頭部に除去可能に結合される。図５を参照すると、視度誤差対頭部のピッチ角のプロット（７６）を特徴とする、ユーザ対象の群からのサンプルデータのチャート（７２）が、図示されており、また、示されているものは、ＩＰＤ補償係数（ゼロピッチは、図２に示されるようなものであり、度単位のピッチは、−９０が、ユーザが床を略一直線に下に見ている角度であり、＋９０が、ユーザが天井を略一直線に上に見ている角度である）として利用され得る、本サンプルデータ（７４）を通して数学的に適合する、多項方程式である。図５に描写されるサンプル実験データにおいて、ユーザの頭部が、−９０から、徐々に０に向かって、次いで、＋９０に向かって上にピッチ運動されるにつれて、視度誤差の一般的な若干の増加が存在することが分かり得る。本サンプル実験データのために展開された、関連付けられるＩＰＤ補償係数（７４）は、例えば、焦点が、本サンプルからのユーザの頭部のピッチ回転の間に維持されるように、拡張現実システムへの入力として利用され得る。
【００３８】
図４Ａおよび４Ｂに描写されるもの等の装置、または図１および２に図示されるもの等、適切な構成要素を伴う仮想または拡張現実システムが、測定されたＩＰＤと頭部ピッチ角位置との関係間の情報だけではなく、周囲に対するピッチの線形および／または角速度、および周囲に対するピッチの線形および／または角加速度も得るために利用され得る。さらに、そのような関係は、直交するヨー軸または直交するロール軸等の他の軸に関しても判定され得る。これらの軸のそれぞれを中心とした位置、速度、および加速度変化と関連付けられる、眼の位置付けの変動が、実験的に認められた。
【００３９】
図６Ａを参照すると、ＩＰＤ頭部回転補償を伴わない構成が、図示され、ユーザは、例えば、較正された（すなわち、ＩＰＤの最初の入力または判定を伴う）拡張現実システムを装着している（８０）。ユーザが、空間内の第１の標的を注視するにつれて（８２）、本システムは、少なくとも部分的にユーザのＩＰＤに基づいて、第１の標的におけるそのユーザの視線に関する視覚表現またはその一部を発生させるように構成される（８４）。ユーザは、第２の標的に視線を変更し得（８６）、本システムは、同様に、少なくとも部分的に再びそのユーザのＩＰＤに基づいて、第２の標的におけるユーザの視線に関する視覚表現またはその一部を発生させるように構成され得る（８８）（すなわち、これは、頭部の位置または回転関連の変動に関して補償されていない）。
【００４０】
図６Ｂを参照すると、補償される構成が、図示されており、最初の較正（８０）および第１の標的における注視（８２）の後、本システムは、少なくとも部分的に頭部の配向（第１の標的を視認するときの頭部のピッチ角、本システムによって判定されているピッチ角等）に関して補償されるＩＰＤに基づいて、第１の標的におけるユーザの視線に関する視覚表現またはその一部を発生させるように構成される。次いで、ユーザが、視線を第２の標的に変化させる場合（８６）、本システムは、少なくとも部分的に頭部の配向（第２の標的を視認するときの頭部のピッチ角、本システムによって判定されているピッチ角等）のために補償されるＩＰＤに基づいて、第２の標的におけるユーザの視線に関する視覚表現またはその一部を発生させるように構成される。
【００４１】
図６Ｃを参照すると、本システム自体が、特定のユーザに関する１つ以上の補償関係を展開するために利用され得る。図６Ｃに示されるように、ユーザは、（例えば、略水平な水平線にわたる無限遠への視線に関連付けられるもの等、水平な頭部ピッチ角においてシステムによって判定されるＩＰＤを伴う）較正された拡張現実システムを装着し得る（１００）。種々の位置、角または線形速度、もしくは角または線形加速度を伴う、実際的または機能的ＩＰＤにおけるユーザの視覚システムのいかなる変動も判定するために、視認較正システムが、一連の視認演習を通してユーザを誘導し得る（すなわち、ユーザは、その頭部を位置付け、加速させ、本システムは、実際的および／または機能的ＩＰＤに関するデータを捕捉するように構成される）（１０２）。本システムは、種々の位置、角または線形速度、もしくは角または線形加速度で可変である、ユーザに関するＩＰＤ補償構成（ルックアップテーブルまたは１つ以上の数学的関係等）を判定するように構成され（１０４）、ユーザのＩＰＤ補償構成を完了し（１０６）得る。次いで、ユーザが、空間内の第１の標的を注視する（８２）と、本システムは、少なくとも部分的に、第１の標的における視線に関するユーザの頭部の位置、速度、および／または加速度（角度および／または直交）に関するユーザのＩＰＤ補償構成に基づいて、第１の標的におけるユーザの視線に関する視覚表現またはその一部を発生させるように構成され得る（１０８）。次いで、ユーザが、第２の標的を注視する（８６）と、本システムは、少なくとも部分的に、第２の標的における視線に関するユーザの頭部の位置、速度、および／または加速度（角度および／または直交）に関するユーザのＩＰＤ補償構成に基づいて、第２の標的におけるユーザの視線に関する視覚表現またはその一部を発生させるように構成され得る（１１０）。
【００４２】
図７は、拡張現実システム１４２をより詳細に図示する。システム１４２は、レンダリングエンジン１３０に接続され、視覚データおよびアルゴリズムの一部を形成する、立体視分析器１４４を含む。
【００４３】
システム１４２はさらに、左および右プロジェクタ１６６Ａおよび１６６Ｂと、左および右導波管１７０Ａおよび１７０Ｂとを含む。左および右プロジェクタ１６６Ａおよび１６６Ｂは、電力供給源に接続される。各プロジェクタ１６６Ａおよび１６６Ｂは、個別のプロジェクタ１６６Ａまたは１６６Ｂに提供されるべき、画像データのための個別の入力を有する。個別のプロジェクタ１６６Ａまたは１６６Ｂは、給電されると、２次元パターンで光を発生させ、そこから光を発出させる。左および右導波管１７０Ａおよび１７０Ｂは、それぞれ、左および右プロジェクタ１６６Ａおよび１６６Ｂから光を受光するように位置付けられる。左および右導波管１７０Ａおよび１７０Ｂは、透過性の導波管である。
【００４４】
使用時、ユーザは、その頭部に頭部搭載可能フレーム１４０を搭載する。頭部搭載可能フレーム１４０の構成要素は、例えば、ユーザの頭部の裏側の周りに巻着する、ストラップ（図示せず）を含み得る。左および右導波管１７０Ａおよび１７０Ｂは、次いで、ユーザの左眼および右眼２２０Ａおよび２２０Ｂの正面に位置する。
【００４５】
レンダリングエンジン１３０は、受信する画像データを立体視的分析器１４４の中に取り込む。画像データは、複数の仮想平面上に投影される。立体視的分析器１４４は、各深度平面上への投影のために、画像データに基づいて、左および右画像データセットを判定するために画像データを分析する。左および右画像データセットは、３次元で投影される２次元画像を表し、ユーザに奥行の知覚を与える、データセットである。
【００４６】
立体視的分析器１４４は、左および右画像データセットを左および右プロジェクタ１６６Ａおよび１６６Ｂの中に取り込む。左および右プロジェクタ１６６Ａおよび１６６Ｂは、次いで、左および右光パターンを生成する。システム１４２のコンポーネントは、平面図に示されているが、左および右パターンが、正面立面図に示されると、２次元パターンであることを理解されたい。各光パターンは、複数のピクセルを含む。例証の目的のために、ピクセルのうちの２つのものからの光線２２４Ａおよび２２６Ａが、左プロジェクタ１６６Ａから出射し、左導波管１７０Ａに入射するように示されている。光線２２４Ａおよび２２６Ａは、左導波管１７０Ａの側面から反射する。光線２２４Ａおよび２２６Ａが、左導波管１７０Ａ内での左から右への内部反射を通して伝搬することが示されているが、光線２２４Ａおよび２２６Ａがまた、屈折および反射システムを使用してペーパーの中への方向にも伝搬することを理解されたい。
【００４７】
光線２２４Ａおよび２２６Ａは、瞳２２８Ａを通して左光導波管１７０Ａから出射し、次いで、左眼２２０Ａの瞳２３０Ａを通して左眼２２０Ａに入射する。光線２２４Ａおよび２２６Ａは次いで、左眼２２０Ａの網膜２３２Ａ上に到達する。このように、左の光パターンは、左眼２２０Ａの網膜２３２Ａ上に到達する。ユーザは、網膜２３２Ａ上に形成されるピクセルが、左眼２２０Ａに対向する左導波管１７０Ａの側面においてある距離にあることをユーザが知覚する、ピクセル２３４Ａおよび２３６Ａであることの知覚を与えられる。奥行知覚が、光の焦点距離を操作することによって生成される。
【００４８】
類似の様式において、立体視的分析器１４４は、右画像データセットを右プロジェクタ１６６Ｂの中に取り込む。右プロジェクタ１６６Ｂは、右の光パターンを透過し、これは、光線２２４Ｂおよび２２６Ｂの形態にあるピクセルによって表わされている。光線２２４Ｂおよび２２６Ｂは、右導波管１７０Ｂ内で反射し、瞳２２８Ｂを通して出射する。光線２２４Ｂおよび２２６Ｂは、次いで、右眼２２０Ｂの瞳２３０Ｂを通して入射し、右眼２２０Ｂの網膜２３２Ｂ上に到達する。光線２２４Ｂおよび２２６Ｂのピクセルは、右導波管１７０Ｂの背後のピクセル１３４Ｂおよび２３６Ｂとして知覚される。
【００４９】
網膜２３２Ａおよび２３２Ｂ上に生成されるパターンは、左および右画像として個々に知覚される。左および右画像は、立体視的分析器１４４の機能に起因して相互とわずかに異なる。左および右画像は、３次元レンダリングとしてユーザの頭の中で知覚される。
【００５０】
述べられるように、左および右導波管１７０Ａおよび１７０Ｂは、透過性である。眼２２０Ａおよび２２０Ｂに対向する左および右導波管１７０Ａおよび１７０Ｂの側におけるテーブル１１６等の現実の物体からの光が、左および右導波管１７０Ａおよび１７０Ｂを通して投影し、網膜２３２Ａおよび２３２Ｂ上に到達することができる。
【００５１】
図８は、前述に説明されるようなＩＰＤ補償に関連するため、デバイス１４２のさらなる詳細を示している。本デバイスはさらに、ＩＰＤ検出器としての役割を果たす、ＩＰＤカメラ３０２と、頭部の運動を検出する、実世界カメラ３０４およびＩＭＵ３０６と、相関器３０８と、記憶システム３１０と、ＩＰＤ補償係数計算機３１２と、ＩＰＤ補償器３１４と、視認較正システム３１６とを含む。相関器３０８は、ＩＰＤカメラ３０２、実世界カメラ３０４、およびＩＭＵ３０６に接続される。相関器３０８は、実世界カメラ３０４およびＩＭＵ３０６からの頭部移動データをＩＰＤカメラ３０２からのＩＰＤデータと相関させる。記憶システム３１０は、相関器３０８に接続され、相関器３０８によって発生される相関を記憶する。ＩＰＤ補償係数計算機３１２は、ＩＰＤ補償係数を計算する。ＩＰＤ補償器３１４は、ＩＰＤ補償係数計算機３１２に接続され、レンダリングエンジン１３０は、ＩＰＤ補償器３１４に接続される。ＩＰＤ補償器３１４は、ＩＰＤ補償係数計算機３１２に基づいて、レンダリングエンジン１３０によって生成された可視化を修正する。
【００５２】
視認較正システム３１６は、ＩＰＤ補償係数計算機３１２等の１つ以上のＩＰＤ補償係数を発生させるように、一連の視覚試験を通してユーザにプロンプトする。
【００５３】
ある例示的実施形態が、説明され、付随の図面に示されているが、そのような実施形態が、例証的に過ぎず、本発明を制限するものではないこと、および本発明が、修正が当業者に想起され得るため、示され、説明される、具体的な構成および配列に制限されるものではないことを理解されたい。
【図１】
2021533465.tif 000003
【図２】
2021533465.tif 000004
【図３】
2021533465.tif 000005
【図４Ａ】
2021533465.tif 000006
【図４Ｂ】
2021533465.tif 000007
【図５】
2021533465.tif 000008
【図６Ａ】
2021533465.tif 000009
【図６Ｂ】
2021533465.tif 000010
【図６Ｃ】
2021533465.tif 000011
【図７】
2021533465.tif 000012
【図８】
2021533465.tif 000013
【国際調査報告】
2021533465.tif 000014
2021533465.tif 000015
2021533465.tif 000016